(57)【要約】【課題】高い認証精度を保持しつつ、薄型化を実現することが可能な生体認証装置を提供する。【解決手段】生体認証装置１は、光源１０と、検知部１１と、マイクロレンズアレイ１２と、遮光部１３と、撮像素子１４と、画像処理部１５と、パターン保持部１６と、認証部１７と、光源駆動部１８１と、撮像素子駆動部１８２と、制御部１９とを備える。マイクロレンズアレイ１２には着色材を添加することにより、光を選択的に透過させる機能が備えられている。光源１０から生体２に照射された光は、マイクロレンズ１２によって集光および選択的に透過され、撮像素子１４へ入射する。これにより、不要な波長域の光を排除されるため、生体の認証精度を保ちつつ生体認証装置１の薄型化を実現できる。【選択図】図１
2011022860.tif 000002
【特許請求の範囲】
【請求項１】
生体に向けて認証用の波長域を含む波長域の光を出射する光源と、
前記生体からの光を集光すると共に、前記認証用の波長域の光を選択的に透過させるマイクロレンズアレイと、
前記マイクロレンズアレイによって集光された光に基づき、前記生体の撮像データを取得する撮像素子と、
前記撮像素子で取得された撮像データに基づいて前記生体の認証を行う認証部と
を備えた生体認証装置。
【請求項２】
前記マイクロレンズアレイは、
熱可塑性樹脂よりなる第１の樹脂層と、
前記第１の樹脂層に含有されると共に、前記認証用の波長域と異なる波長域の光を遮断する遮光材と
を有する請求項１に記載の生体認証装置。
【請求項３】
前記認証用の波長域は、近赤外域である
請求項２に記載の生体認証装置。
【請求項４】
前記マイクロレンズアレイの光出射側に、複数のマイクロレンズのそれぞれに対応して開口を有すると共に前記認証用の波長域を含む波長域の光を遮断する遮光部が設けられている
請求項１ないし請求項３のいずれか１項に記載の生体認証装置。
【請求項５】
前記遮光部は、前記マイクロレンズアレイと一体的に設けられている
請求項４に記載の生体認証装置。
【請求項６】
前記マイクロレンズアレイおよび前記遮光部にはそれぞれ、１または複数の位置合わせ機構が設けられている
請求項５に記載の生体認証装置。
【請求項７】
前記位置合わせ機構として、
前記マイクロレンズアレイおよび前記遮光部のうちの一方の部材に設けられた孔と、
他方の部材に設けられると共に、前記孔に嵌合される突起と
を有する請求項７に記載の生体認証装置。
【請求項８】
前記遮光部は、
熱可塑性樹脂よりなる第２の樹脂層と、
前記第２の樹脂層に含有された光機能材と
を有する請求項４に記載の生体認証装置。
【発明の詳細な説明】
【技術分野】
【０００１】
本発明は、静脈や指紋などの生体部位における構造物を撮像して得られたデータに基づいて生体の認証を行う生体認証装置に関する。
【背景技術】
【０００２】
従来、生体部位における構造物を撮像対象とする撮像装置は、生体認証装置等に利用され、例えば指紋や静脈の撮像データを用いて生体の認証を行う認証装置が種々提案されている。一般に、このような生体認証装置では、撮像装置自体の厚みが大きいため、薄型の機器に応用するために、撮像装置を認証装置の外部に配置したり、あるいは撮像装置の光学系（撮像レンズ）と検出系（撮像素子）とを独立して配置することが主流となっていた。
【０００３】
ところが、近年では、様々な機器の薄型化、あるいは製造性やデザインの制約等に伴い、そのような機器に直接搭載することのできるモジュールとして、撮像光学系にマイクロレンズアレイを用いた生体認証装置が提案されている（例えば、特許文献１，２）。
【先行技術文献】
【特許文献】
【０００４】
【特許文献１】特開２００６−１５５５７５号公報
【特許文献２】特開２００７−７４０７９号公報
【発明の概要】
【発明が解決しようとする課題】
【０００５】
ここで、例えば静脈のパターンを用いて生体認証を行う場合、血中に含まれるヘモグロビンが近赤外光を吸収するという性質を利用して撮像データを取得する。このため、生体部位を照明する光源としては、近赤外光を発するＬＥＤ（Light Emitting Diode）等が用いられている。ところが、その際、撮像素子において、認証に必要な近赤外光の他に、蛍光灯や白熱灯あるいは太陽光等の認証に不要な外光までもが受光されることがあり、この外光の影響によって、認証精度が低下してしまうという問題がある。
【０００６】
そこで、上記特許文献２にも記載されているように、可視光を遮断して近赤外光を選択的に透過させる波長選択フィルタを併設することが多い。しかしながら、このような波長選択フィルタを用いた場合、認証精度を高めることはできるものの、装置全体の厚みが増してしまうという問題があり、機器の更なる薄型化への対応が困難となる。
【０００７】
本発明はかかる問題点に鑑みてなされたもので、その目的は、高い認証精度を保持しつつ、薄型化を実現することが可能な生体認証装置を提供することにある。
【課題を解決するための手段】
【０００８】
本発明の生体認証装置は、生体に向けて認証用の波長域を含む波長域の光を出射する光源と、生体からの光を集光すると共に、認証用の波長域の光を選択的に透過させるマイクロレンズアレイと、マイクロレンズアレイによって集光された光に基づき、生体の撮像データを取得する撮像素子と、撮像素子で取得された撮像データに基づいて生体の認証を行う認証部とを備えたものである。
【０００９】
本発明の生体認証装置では、光源により生体が照明されると、マイクロレンズアレイにおいて、認証用の波長域の光が選択的に透過され、この透過光が撮像素子において受光される。撮像素子では、受光した認証用の波長域の光に基づく撮像データが得られ、認証部は、その撮像データに基づいて生体の認証を行う。
【発明の効果】
【００１０】
本発明の生体認証装置によれば、生体からの光を集光するマイクロレンズアレイが、認証用の波長域の光を選択的に透過させるようにしたので、認証用の波長域の光に基づいて、生体の撮像データを取得することができる。すなわち、マイクロレンズアレイが、集光機能と共に、波長選択透過機能を有するので、認証に不要な波長域の光を排除して、認証に必要な波長域の光に基づく撮像データを得ることができる。従って、装置内に波長選択透過フィルタを別途設ける必要がない。よって、高い認証精度を保持しつつ薄型化を実現可能となる。
【図面の簡単な説明】
【００１１】
【図１】本発明の一実施の形態に係る生体認証装置の機能ブロック図である。
【図２】図１に示した生体認証装置の断面図である。
【図３】図１に示したマイクロレンズアレイの透過波長を表す特性図である。
【図４】図１に示したマイクロレンズアレイの平面図および側面図である。
【図５】図１に示した遮光部の平面図および側面図である。
【図６】図１に示した撮像素子の平面図である。
【図７】図１に示したマイクロレンズアレイ、遮光部および撮像素子同士の組み立て方法を説明するための模式図である。
【図８】従来例に係る生体認証装置の断面図である。
【図９】図８に示した生体認証装置の作用を説明するための模式図である。
【発明を実施するための形態】
【００１２】
以下の順に本発明の実施の形態について、図面を参照して詳細に説明する。
（１）全体構成
（２）組み立て方法
【００１３】
（１）全体構成
図１は、本発明の一実施の形態に係る生体認証装置１の全体構成を表すものである。図２は、生体認証装置１のＺ−Ｘ断面構成を表すものである。生体認証装置１は、特に生体（例えば、指先）２の構造物、例えば静脈を撮像して認証を行うものである。この生体認証装置１は、光源１０と、検知部１１と、マイクロレンズアレイ１２と、遮光部１３と、撮像素子１４と、画像処理部１５と、パターン保持部１６と、認証部１７と、光源駆動部１８１と、撮像素子駆動部１８２と、制御部１９とから構成されている。
【００１４】
光源１０は、撮像対象である生体２へ向けて光を照射するものであり、例えば、ＬＥＤなどにより構成される。この光源１０は、例えば、生体２に対して撮像素子１４と同一の側に、例えば生体２の長手方向（Ｘ方向）における両端位置に設けられている。この光源１０は、生体２の内部の構造物、例えば静脈を撮像する場合には、近赤外光の波長領域（７００ｎｍ〜１２００ｎｍ程度の波長領域）の光を発するようになっている。
【００１５】
検知部１１は、例えばカバーガラスなどであり、生体２を検知する領域（面）、すなわち生体２が置かれる領域（面）である。但し、検知部１１に直接、生体２が接触している必要はなく、検知部１１の上方に生体２が配置されるような構成であればよい。
【００１６】
マイクロレンズアレイ１２は、例えば検知部１１の下方において、生体２内部の観察面を撮像素子１４上の受光面に結像するように配置され、生体２に照射された光を集光するようになっている。このマイクロレンズアレイ１２は、例えばシクロオレフィン系、ポリオレフィン系またはポリカーボネート系などの熱可塑性の透明樹脂材料を母材（第１の樹脂層）として、顔料、染料などの着色材（遮光材）を添加し、例えば射出成型によって形成される。この際、着色材として、例えば可視光を遮断する有機化合物や天然鉱物などを熱可塑性樹脂（母材）に練りこむことによって、マイクロレンズアレイ１２は、例えば図３に示したように７００ｎｍ以下の波長領域の光を遮断する波長選択透過機能が備わる。言い換えると、このマイクロレンズアレイ１２は、認証に用いる光源１０の波長領域（近赤外光の波長領域）の光を選択的に透過させる機能を備えている。ここで、着色材としては、成型後のマイクロレンズアレイ１２において用いられる波長領域での透過率特性および複屈折特性等の光学特性を考慮して選択するようにする。
【００１７】
このようにして成型されたマイクロレンズアレイ１２は、図４（Ａ），（Ｂ）に示したように、複数のマイクロレンズ１２Ｃがマトリクス状に隙間なく敷き詰められた矩形状のレンズ領域１２Ａと、周辺領域１２Ｂとを有している。この周辺領域１２Ｂでは、レンズ領域１２Ａにおける矩形状の各辺の中央部分に、開口部１２ａ〜１２ｄがそれぞれ設けられている。加えて、周辺領域１２Ｂにおけるレンズ領域１２Ａの各長辺の両端に対応する位置には、貫通孔１２ｅ〜１２ｈまたはマイクロレンズ１２ｉ〜１２ｌが形成されている。
【００１８】
遮光部１３における遮光部分は、マイクロレンズアレイ１２において隣接するマイクロレンズ１２Ｃ間の境界領域にそれぞれ設けられている。言い換えると、遮光部１３には、複数のマイクロレンズ１２Ｃのそれぞれに対応して開口１３Ｃが設けられている。この遮光部１３は、マイクロレンズアレイ１２への入射光線もしくはマイクロレンズアレイ１２からの出射光線を選択的な領域で遮光することにより、撮像素子１４側への入射光線を制限するようになっている。ここでは、遮光部１３は、近赤外光を遮光する材料、例えばＡＢＳ（アクリロニトリルブタジエンスチレン）を母材（第２の樹脂層）として、これにマイクロレンズアレイ１２と同様に着色材を添加し、射出成型によって形成される。この際、着色材として、高分子材料や金属材料などの光機能材料を熱可塑性樹脂（母材）に練りこむことによって、遮光部１３は、近赤外光に加えて可視光に対する遮光機能が追加されるようになっている。ここで、着色材としては、良好な成型特性を有する不透明な材料を選択するようにする。なお、遮光部１３の母材としては、上記したＡＢＳの他に、例えば、ＰＭＭＡ（アクリル）、ＰＰＳ（ポリフェニレンスルファイド）またはＬＣＰ（液晶ポリマー）などを用いてもよい。
【００１９】
このようにして成形された遮光部１３は、図５（Ａ），（Ｂ）に示したように、遮光領域１３Ａと、周辺領域１３Ｂとを有している。この周辺領域１３Ｂでは、前述したマイクロレンズアレイ１２における開口部１２ａ〜１２ｄに対向する位置に、突起部１３ａ〜１３ｄがそれぞれ設けられている。加えて、マイクロレンズアレイ１２における貫通孔１２ｅ〜１２ｈもしくはマイクロレンズ１２ｉ〜１２ｌに対向する位置には、貫通孔１３ｅ〜１３ｈがそれぞれ形成されている。
【００２０】
撮像素子１４は、マイクロレンズアレイ１２からの光を受光して撮像データを取得するものであり、マイクロレンズアレイ１２の焦点面に配置されるようになっている。この撮像素子１４は、例えば、マトリクス状に配列された複数のＣＣＤ（Charge Coupled Device；電荷結合素子）やＣＭＯＳ（Complementary Metal Oxide Semiconductor）などにより構成される。また、撮像素子１４は、マイクロレンズアレイ１２および遮光部１３と同様に、図６（Ａ）に示したように、撮像素子領域１４Ａと周辺領域１４Ｂとを有している。この周辺領域１４Ｂでは、前述したマイクロレンズアレイ１２および遮光部１３の周辺領域１２Ｂ，１３Ｂにおける貫通孔１２ｅ〜１２ｈ（もしくはマイクロレンズ１２ｉ〜１２ｌ）および貫通孔１３ｅ〜１３ｈに対向する位置に、アライメントマーク１４ａ〜１４ｄがそれぞれ設けられている。図６（Ｂ）は、これらのアライメントマーク１４ａ〜１４ｄの一例を拡大して示したものであるが、この形状に限定されるものではなく、他の形状のものを用いるようにしてもよい。
【００２１】
画像処理部１５は、制御部１９からの制御に応じて、撮像素子１４で得られた撮像データに所定の画像処理を施し、認証部１７へ出力するものである。なお、この画像処理部１５、ならびに後述する認証部１７および制御部１９は、例えばマイクロコンピュータなどにより構成される。
【００２２】
パターン保持部１６は、生体認証の際に用いる生体認証パターン（認証の際に撮像して得られた撮像パターンに対する比較パターンであり、予め生体を撮像して得られたもの）が保持される部分である。このパターン保持部１６は、不揮発性の記録素子（例えば、ＥＥＰＲＯＭ（Electrically Erasable Programmable Read Only Memory）など）により構成される。
【００２３】
認証部１７は、制御部１９からの制御に応じて、画像処理部１５から出力される撮像パターンと、パターン保持部１６に保持されている生体認証パターンとを比較することにより、生体２の認証を行う部分である。
【００２４】
光源駆動部１８１は、制御部１９からの制御に応じて、光源１０の発光駆動を行うものである。撮像素子駆動部１８２は、制御部１９からの制御に応じて、撮像素子１３の撮像駆動（受光駆動）を行うものである。制御部１９は、画像処理部１５、認証部１７、光源駆動部１８１および撮像素子駆動部１８２の動作を制御するものである。
【００２５】
次に、図７（Ａ），（Ｂ）を参照して、これまで説明したマイクロレンズアレイ１２、遮光部１３および撮像素子１４同士の組み立て方法（積層方法）について説明する。
【００２６】
（２）組み立て方法
マイクロレンズアレイ１２の周辺領域１２Ｂには、以下説明する組み立ての際の位置合わせ機構として、上述したように、開口部１２ａ〜１２ｄと、貫通孔１２ｅ〜１２ｈあるいはマイクロレンズ１２ｉ〜１２ｌとが形成されている。同様に遮光部１３の周辺領域１３Ｂには、位置合わせ機構として、突起部１３ａ〜１３ｄおよび貫通孔１３ｅ〜１３ｈが形成されている。また、撮像素子１４周辺領域１４Ｂには、位置合わせ機構として、アライメントマーク１４ａ〜１４ｄがそれぞれ設けられている。
【００２７】
まず、マイクロレンズアレイ１２と遮光部１３とを組み合わせる。このとき、マイクロレンズアレイ１２における開口部１２ａ〜１２ｄに対し、遮光部１３における突起部１３ａ〜１３ｄをそれぞれ嵌合させる。これにより、マイクロレンズアレイ１２上の各マイクロレンズ１２Ｃの中心位置と、遮光部１３上の各開口の中心位置とが、調整なしに一致する。このようにして、マイクロレンズ１２と遮光部１３とが一体的に設けられるようになる。
【００２８】
次に、マイクロレンズ１２と遮光部１３とを一体化した部材を、更に撮像素子１４と組み合わせる。このときの組み合わせ方法としては、以下の２つの方法がある。まず第１の方法として、マイクロレンズアレイ１２の周辺領域１２Ｂに貫通孔１２ｅ〜１２ｈを設けた場合について述べる。この場合、図７（Ａ）に示したように、撮像素子１４の下方から光源３を用いて光の照明を行いつつ、マイクロレンズアレイ１２の上方から、ＣＣＤカメラ４等でアライメントマーク１４ａ〜１４ｄを観察する。そして、マイクロレンズアレイ１２と遮光部１３とが一体化された部材を、図示しない移動手段によって移動させて位置調整し、位置合わせを行う。これに対して、第２の方法として、マイクロレンズアレイ１２の周辺領域１２Ｂにマイクロレンズ１２ｉ〜１２ｌを設けた場合について述べる。この場合、図７（Ｂ）に示したように、第１の方法と同様に、まず、撮像素子１４の下方から光の照明を行いつつ、マイクロレンズアレイ１２の上方から、ＣＣＤカメラ４等でマイクロレンズ１２ｉ〜１２ｌ越しに、アライメントマーク１４ａ〜１４ｄを観察する。そして、第１の方法と同様に、マイクロレンズアレイ１２と遮光部１３とが一体化された部材を、図示しない移動手段によって移動させて位置調整し、位置合わせを行う。なお、このような位置合わせ方法は、本発明の波長選択透過機能を有するマイクロレンズアレイ１２および遮光部１３には限られず、従来用いられている材料からなるマイクロレンズアレイ、遮光部および撮像素子同士の位置合わせにも適用することができる。
【００２９】
次に、このような生体認証装置１の作用および効果について説明する。
【００３０】
生体認証装置１では、まず、検知部１１上に生体（例えば、指先）２が置かれ、光源駆動部１８１により光源１０が駆動されると、光源１０から射出された光Ｌが生体２へ向けて照射される。生体２に照射された光は、例えば生体２の内部で散乱し、静脈により吸収される。一方、マイクロレンズアレイ１２における各マイクロレンズ１２Ｃが、生体２内部の観察面を撮像素子１４上の受光面に結像するように配置されていることにより、生体２内部の光はマイクロレンズアレイ１２で集光されたのち、撮像素子１４へ入射する。このようにして、撮像素子１４において、生体２の静脈の撮像データ（静脈パターン）が取得される。そして、撮像素子１４で得られた静脈パターンは、画像処理部１５において適宜画像処理がなされたのち、認証部１７へ入力される。認証部１７では、入力された静脈パターンと、パターン保持部１６に保持されている静脈認証用の認証パターンとが比較され、認証が行われる。これにより、最終的な生体認証の結果（認証結果データＤout）が出力され、生体認証処理が終了となる。
【００３１】
ここで、図８，図９に示した従来例と比較して、マイクロレンズアレイ１２および遮光部１３の作用について説明する。図８は、従来例に係る生体認証装置の概略構成を表すＺ−Ｘ断面図である。図９は、図８に示した生体認証装置の作用を説明するための模式図である。
【００３２】
図８に示したように、従来の生体認証装置では、検知部１０３の下方に、複数のマイクロレンズからなるマイクロレンズアレイ１０４、近赤外光（ＩＲ）透過フィルタ１０５および撮像素子１０６が、筐体１０１内においてこの順に配置されている。マイクロレンズアレイ１０４におけるマイクロレンズは、本実施の形態の生体認証装置１と同様に、マトリクス状に隙間なく敷き詰められた構成となっている。これにより、光源１０２から生体２へ向けて照射されたのち、マイクロレンズアレイ１０４によって集光された光は、近赤外光透過フィルタ１０５によって不要な可視光が遮断され、近赤外光が選択的に透過される。そして、この近赤外光透過フィルタにおいて選択透過された近赤外光は、撮像素子１０６に結像され、精度の高い撮像データが生成されるようになっている。
【００３３】
ところが、このような構成では、精度の高い撮像データが得られるものの、近赤外光透過フィルタ１０５を設けた分、装置全体の厚みが増加してしまうため、薄型化に対応する困難となる。
【００３４】
これに対し、本実施の形態では、マイクロレンズアレイ１２の母材である熱可塑性樹脂に対して、可視光を遮断する高分子材料や金属材料などの光機能材料（着色剤）を添加することにより、このマイクロレンズアレイ１２が、近赤外光透過フィルタ１０５としての機能も有している。これにより、従来例のような近赤外光透過フィルタを併設することなく、近赤外光を選択的に撮像素子１４に結像させることができる。
【００３５】
また、従来の生体認証装置では、図９に示したように、生体２の像Ｉ10からの光線は、複数のマイクロレンズに入射し、撮像素子１０６上に複数の像Ｉ11を結像することとなる。例えば、マイクロレンズの径（ピッチ）をＰ1、結像倍率を２：１とした場合、撮像素子１０６上には、マイクロレンズ径の１．５倍の間隔で、像Ｉ10の１／２の寸法の像Ｉ11が複数形成される。この結果、各マイクロレンズ間でクロストークが生じ、画質の劣化につながる。
【００３６】
これに対し、本実施の形態では、マイクロレンズアレイ１２の光出射側（撮像素子側）に、マイクロレンズ１２Ｃ同士の間の領域に開口を有する遮光部１３を設けている。遮光部１３は、Ｘ−Ｙ面上では各マイクロレンズの配置に対応した格子状となっており、Ｚ方向に長さ（高さ）Ｈで形成されている。これにより、撮像素子１４上において、上記のようなクロストークの発生が抑制される。
【００３７】
更に、この遮光部１３の母材である熱可塑性樹脂に対して、高分子材料や金属材料などの光機能材料を添加することにより、遮光部１３が、近赤外光に加えて可視光に対する遮光機能を有している。これにより、隣接するマイクロレンズアレイ１２からの近赤外光のクロストークの発生が抑制されるため、生体認証装置１の認証精度をさらに高めることが可能となる。
【００３８】
また、マイクロレンズアレイ１２、遮光部１３および撮像素子１４の各周辺領域１２Ｂ，１３Ｂ，１４Ｂにはそれぞれ、位置合わせ用の開口部１２ａ〜１２ｄ、突起１３ａ〜１３ｄ、貫通孔１２ｅ〜１２ｈ（もしくはマイクロレンズ１２ｉ〜１２ｌ），１３ｅ〜１３ｈおよびアライメントマーク１４ａ〜１４ｄがそれぞれ設けられている。これにより、組み立て時の位置合わせの調整が不要になる。
【００３９】
以上のように、本実施の形態の生体認証装置１では、生体２からの光を集光するマイクロレンズアレイ１２が、認証用の波長域の光（近赤外光）を選択的に透過させるようにしたので、この認証用の波長域の光に基づいて、生体２の撮像データを取得することができる。すなわち、マイクロレンズアレイ１２が、集光機能と共に、波長選択透過機能を有するので、認証に不要な波長域の光（例えば、可視光）を排除して、認証に必要な波長域の光（近赤外光）に基づく撮像データを得ることができる。従って、装置内に従来のような波長選択透過フィルタを別途設ける必要がない。よって、高い認証精度を保持しつつ、生体認証装置１の薄型化を実現可能となる。
【００４０】
また、マイクロレンズアレイ１２の光出射側（撮像素子側）に、マイクロレンズ１２Ｃ同士の間の領域に開口を有する遮光部１３を設けるようにしたので、撮像素子１４上において、上記のようなクロストークの発生が抑制される。更に、この遮光部１３は、可視光および近赤外光を遮断する熱可塑性樹脂材料に対して、同波長領域を遮断する高分子材料や金属材料などの光機能材料を添加して製造するようにしたので、可視光に加えて近赤外光のクロストークの発生も抑制することができる。従って、クロストークによる影響の少ない高画質の画像に基づいて生体の認証を行うことが可能となり、生体の認証精度が向上する。
【００４１】
また、広波長領域の光を遮断することができるため、クロストークを抑制すると共にゴーストやフレアなどのノイズ光を抑制することが可能となる。更に、ゴーストやフレアなどを抑制するためには、遮光部１３は、光を遮断すると同時に高い吸収率を有することが望ましい。
【００４２】
更にまた、マイクロレンズアレイ１２、遮光部１３および撮像素子１４の各周辺領域１２Ｂ，１３Ｂ，１４Ｂにそれぞれ上記位置合わせ用の開口部等を設けたので、組み立て時の位置合わせの調整が不要になり、組み立て調整が容易になるため、製造コストを抑制することが可能となる。
【００４３】
以上、実施の形態を挙げて本発明を説明したが、本発明はこの実施の形態に限定されるものではなく、種々の変形が可能である。例えば、位置合わせ用にマイクロレンズアレイ１２、遮光部１３および撮像素子１４の周辺領域１２Ｂ，１３Ｂ，１４Ｂにそれぞれ円形状の開口あるいは矩形状の開口を有するものを例に挙げて説明したが、開口の形状は上記のものに限定されず、他の形状であってもよい。また、上記実施の形態では、マイクロレンズアレイ１２上に開口部（孔）を設けると共に、遮光部１３上にこの開口部に嵌合される突起部を設けているが、これらが逆の関係で設けられているようにしてもよい。すなわち、遮光部１３上に開口部（孔）を設けると共に、マイクロレンズアレイ１２上にこの開口部に嵌合される突起部を設けるようにしてもよい。
【００４４】
また、上記実施の形態では、光源１０が生体２の長手方向における両端位置に設けられた構成を例に挙げて説明したが、光源１０の設けられる位置はこれに限定されない。すなわち、光源１０が検知部１１に対して撮像素子１４と同一の側に配置された構成であれば、一方の側のみに配置されていてもよい。
【００４５】
また、上記実施の形態の構成要素に限定されず、他にも、光量むらを低減するための透過率分布フィルタや、例えば静脈パターンを取得する場合には、近赤外光透過フィルタなどを更に配置するようにしてもよい。この近赤外光透過フィルタは、近赤外の波長領域における光を選択的に透過させるフィルタであり、例えば、アクリル系樹脂に、銅フタロシアニン系化合物、メタルフリー・フタロシアニン系化合物、アントラキノン系の染料などを添加した材料により構成される。このような近赤外透過フィルタを配置することで、外光などを排除し、より高画質の撮像画像を得易くなる。
【００４６】
また、上記実施の形態では、撮像素子１３で得られた撮像データに対し、画像処理部１５において適宜画像処理を施してから認証を行うようにした場合について説明したが、この場合には限られない。例えば、場合によっては画像処理部１５を設けずに、撮像素子１４からの撮像データに基づいて、認証部１７が直接認証を行うようにしてもよい。そのように構成した場合、装置構成をより簡素化し、装置全体をより薄型化することが可能となる。
【００４７】
また、上記実施の形態では、生体２の内部の構造物、例えば静脈パターンに基づき、生体認証を行う場合について説明したが、これに限定されず、例えば生体２（指先）表面の指紋パターンを取得し、この結果に基づいて、最終的な認証結果を出力するようにしてもよい。
【００４８】
また、上記実施の形態では静脈認証を例に説明したが、これに限定されず、例えば指紋認証にも用いることができる。この場合には光源として白色光源を用いることができる。
【００４９】
上記実施の形態では、マイクロレンズアレイ１２が近赤外光を選択的に透過する場合を例にあげたが、選択的に透過させる波長領域は近赤外領域に限られない。すなわち、例えば生体２（指先）表面の指紋パターンを取得し、この結果に基づいて生体認証を行う場合には、他の波長領域、例えば可視領域、近紫外領域であってもよい。
【符号の説明】
【００５０】
１…生体認証装置、２…生体（指先）、３…光源、４…ＣＣＤカメラ、１０…光源、１１…検知部、１２…マイクロレンズアレイ、１２Ａ…マイクロレンズ領域、１２Ｂ…周辺領域、１２Ｃ…マイクロレンズ、１３…遮光部、１３Ａ…遮光領域、１３Ｂ…周辺領域、１３Ｃ…開口、１４…撮像素子、１４Ａ…撮像素子領域、１４Ｂ…周辺領域、１５…画像処理部、１６…パターン保持部、１７…認証部、１８１…光源駆動部、１８２…撮像素子駆動部、１９…制御部。
【図１】
2011022860.tif 000003
【図２】
2011022860.tif 000004
【図３】
2011022860.tif 000005
【図４】
2011022860.tif 000006
【図５】
2011022860.tif 000007
【図６】
2011022860.tif 000008
【図７】
2011022860.tif 000009
【図８】
2011022860.tif 000010
【図９】
2011022860.tif 000011